(57)【要約】  本発明は、ポップアップ絵本が開けられた場合、直立固定された三次元の舞台を提供することで口演童話、演劇など様々な立体感のある遊戯を可能とし、ポップアップ絵本が折られた場合、ポップアップ絵本の厚さを最小化させ保管の容易な子供の遊戯用ポップアップ絵本に関する。  本発明に従った遊戯用ポップアップ絵本は、旋回部を中心に旋回される表表紙と裏表紙とを有し、前記表表紙と裏表紙とが折られて平面状に閉められ、前記表表紙と裏表紙とが開けられて前記表表紙と裏表紙と間の空間へ突出する三次元の形状を形成する遊戯用ポップアップ絵本であって、前記裏表紙から突出する第１の舞台部；及び前記第１の舞台部、表表紙及び裏表紙が開けられた状態を固定する固定手段;を含む。
2011509793.tif 000002
【特許請求の範囲】
【請求項１】
旋回部を中心に旋回される表表紙と裏表紙とを有し、前記表表紙と裏表紙とが折られて平面状に閉められ、前記表表紙と裏表紙とが開けられて前記表表紙と裏表紙と間の空間へ突出する三次元の形状を形成する遊戯用ポップアップ絵本であって、
前記裏表紙から突出する第１の舞台部；及び
前記第１の舞台部、表表紙及び裏表紙が開けられた状態を固定する固定手段;を含み、
前記固定手段は、
上端が前記第１の舞台部の前端に連結され、下端が前記裏表紙に固定される舞台前面板；
前記第１の舞台部の両側で上下へ旋回され、下端が前記裏表紙に固定される舞台側面板;及び
一端が前記舞台側面板の上部内側に連結され、上面が前記第１の舞台部の上面である第１の舞台板の下面に接触固定され、他端が延長して第１の舞台部下面に固定される舞台支持部;を含む
ことを特徴とする遊戯用ポップアップ絵本。
【請求項２】
前記舞台支持部の上面に磁石が設置され、前記第１の舞台部の下面に鉄板が付着され、前記磁石と前記鉄板とが接触固定される
ことを特徴とする請求項１に記載の遊戯用ポップアップ絵本。
【請求項３】
前記舞台前面板及び舞台側面板は、前記第１の舞台部より高く突出して前記第１舞台部の上端を沿って欄干が形成され、前記舞台側面板を旋回させるとき取っ手として利用される
こと特徴とする請求項２に記載の遊戯用ポップアップ絵本。
【請求項４】
一端が、前記舞台前面板の下部内側面に前記裏表紙から上方へ所定間隔離間された位置に固定され、他端が、前記舞台支持部の内部で自由端として形成され、前記表表紙を開けている過程で、前記自由端が前記舞台支持部を前記裏表紙から上方へ所定間隔離間させる弾性部を含む
ことを特徴とする請求項２に記載の遊戯用ポップアップ絵本。
【請求項５】
前記第１の舞台部と表表紙との間に設置される第２の舞台部；
前記第１の舞台部と第２の舞台部との連結部に直立設置され、下端が前記裏表紙に連結され、上端が前記表表紙の上端から下方へ所定間隔離間された位置に設置された天井面に連結される背景前面板;及び
前記天井面の下方で前記表表紙の内側面上に設置される固定背景板;をさらに含む
ことを特徴とする請求項１乃至４のいずれかに記載の遊戯用ポップアップ絵本。
【請求項６】
前記第２の舞台部は、
背景前面板の下端のうち前記第１の舞台部に接する部分のみに前記裏表紙に固定される固定部；及び前記固定部の外側に前記裏表紙に固定されない非固定部を含み、
前記固定部と非固定部と連結部には、ポップアップ絵本が折られた場合表表紙と裏表紙とが離間することを防止するために、前記裏表紙から上方へ舞台側付着面上に所定長さで形成された切断線；及び前記非固定部の後方へ前記裏表紙付着面上に所定幅で形成された切欠部が形成される
ことを特徴とする請求項５に記載の遊戯用ポップアップ絵本。
【請求項７】
前記第１の舞台部の舞台側面板の後方端は、前記第１の舞台部の下面の後方端より後方へ突出形成され、前記第１の舞台部の下面と前記背景前面板との間に所定間隔が形成される
ことを特徴とする請求項５に記載の遊戯用ポップアップ絵本。
【請求項８】
前記天井面の下面には、前記固定背景板に付着された交換背景板を前記固定背景板へ加圧支持する弾性の支持部が設置される
ことを特徴とする請求項５に記載の遊戯用ポップアップ絵本。
【請求項９】
前記天井面の上側に位置する前記表表紙の高さは、前記表表紙と前記背景前面板とを連結する方向における前記天井面の長さより１〜２cm長く形成される
ことを特徴とする請求項５に記載の遊戯用ポップアップ絵本。
【発明の詳細な説明】
【技術分野】
【０００１】
本発明は、遊戯用ポップアップ絵本に関し、より詳細には、ポップアップ絵本が開けられた場合、直立固定された三次元の舞台を提供することで口演童話、演劇など様々な立体感のある遊戯を可能とし、ポップアップ絵本が折られた場合、ポップアップ絵本の厚さを最小化させ保管の容易な子供の遊戯用ポップアップ絵本に関する。
【背景技術】
【０００２】
一般的に、対象物によく反応する幼児や子供に新しい品物の名前を教え、あるいはその他の教育をさせるとき、その品物や教育に対する好奇心と興味を誘発することが重要であり、親や先生は、幼児や子供の教育に対する好奇心と興味を誘発するために様々な本や補助具を利用している。
【０００３】
通常の子供用絵本は、話に関する絵や字が組合されており、特に、本を開けた場合、登場人物や事物が本から突出して現実感を与えるポップアップ絵本が開発されている。
【０００４】
図１は、従来のポップアップ絵本が開けられた状態を示す斜視図である。
【０００５】
従来のポップアップ絵本１は、表表紙１０と裏表紙２０とが旋回部５０を中心に旋回されて開けられ、表表紙１０と裏表紙２０とが折られて閉められる。さらに、表表紙１０と裏表紙２０とが開けられた場合、表表紙１０と裏表紙２０とに形成された折り目と切断線に沿って開口溝４０と突出部３０とが形成される。
【０００６】
従来のポップアップ絵本１には、突出部３０に様々なキャラクターや品物に関する絵が描かれており、ポップアップ絵本を開閉するにつれて突出部３０の立体的形状が変化する。
【０００７】
しかしながら、従来のポップアップ絵本１は、ポップアップ絵本を開閉する過程での突出部３０の形状変化によって子供等の興味を誘発する效果はあるが、このような一時的な変化だけでは集中力の弱い子供がすぐ興味を失ってしまう問題点がある。
【０００８】
また、従来のポップアップ絵本１は、開けられた状態を固定する構造を有していないので、ポップアップ絵本１が開けられた状態で様々な遊戯ができない問題点がある。また、ポップアップ絵本１を繰り返して開閉すると旋回部５０が破れてしまう問題点がある。
【０００９】
更に、従来のポップアップ絵本１が複数枚で形成された場合には、折られたとき突出部３０の厚さ分、ポップアップ絵本１の体積が増加し、ポップアップ絵本１の保管が困難になる問題点もある。
【発明の概要】
【発明が解決しようとする課題】
【００１０】
本発明は、このような従来技術の問題点を解決するために工夫したものであり、子供の遊戯又は教育のためポップアップ絵本を開けた場合、直立固定され、突出する三次元の舞台を提供し、舞台の固定背景板に一つずつ容易に交換可能な複数の交換背景板を固定させることで、様々な立体感のある遊戯を可能とする遊戯用ポップアップ絵本を提供することを課題とする。
【００１１】
本発明は、ポップアップ絵本を開閉する際に紙同士の妨害を防止し、高耐久性を有する遊戯用ポップアップ絵本を提供することを他の課題とする。
【００１２】
本発明は、ポップアップ絵本が折られた場合の体積を低減し、保管が容易な遊戯用ポップアップ絵本を提供することを更に他の課題とする。
【課題を解決するための手段】
【００１３】
上記の課題を解決するための本発明の一つの特徴に従った遊戯用ポップアップ絵本は、旋回部を中心に旋回される表表紙と裏表紙とを有し、前記表表紙と裏表紙とが折られて平面状に閉められ、前記表表紙と裏表紙とが開けられて前記表表紙と裏表紙と間の空間へ突出する三次元の形状を形成する遊戯用ポップアップ絵本であって、前記裏表紙から突出する第１の舞台部；及び前記第１の舞台部、表表紙及び裏表紙が開けられた状態を固定する固定手段;を含み、前記固定手段は、上端が前記第１の舞台部の前端に連結され、下端が前記裏表紙に固定される舞台前面板；前記第１の舞台部の両側で上下へ旋回され、下端が前記裏表紙に固定される舞台側面板;及び一端が前記舞台側面板の上部内側に連結され、上面が前記第１の舞台部の上面である第１の舞台板の下面に接触固定され、他端が延長して第１の舞台部下面に固定される舞台支持部;を含む。
【００１４】
本発明の他の特徴に従った遊戯用ポップアップ絵本は、前記舞台支持部の上面に磁石が設置され、前記第１の舞台部の下面に鉄板が付着され、前記磁石と前記鉄板とが接触固定される。
【００１５】
本発明の他の特徴に従った遊戯用ポップアップ絵本は、前記舞台前面板及び舞台側面板が、前記第１の舞台部より高く突出して前記第１舞台部の上端を沿って欄干が形成され、前記舞台側面板を旋回させるとき取っ手として利用される。
【００１６】
本発明の他の特徴に従った遊戯用ポップアップ絵本は、一端が、前記舞台前面板の下部内側面に前記裏表紙から上方へ所定間隔離間された位置に固定され、他端が、前記舞台支持部の内部で自由端として形成され、前記表表紙を開けている過程で、前記自由端が前記舞台支持部を前記裏表紙から上方へ所定間隔離間させる弾性部を含む。
【００１７】
本発明の他の特徴に従った遊戯用ポップアップ絵本は、前記第１の舞台部と表表紙との間に設置される第２の舞台部；前記第１の舞台部と第２の舞台部との連結部に直立設置され、下端が前記裏表紙に連結され、上端が前記表表紙の上端から下方へ所定間隔離間された位置に設置された天井面に連結される背景前面板;及び前記天井面の下方で前記表表紙の内側面上に設置される固定背景板;をさらに含む。
【００１８】
本発明の他の特徴に従った遊戯用ポップアップ絵本は、前記第２の舞台部は、背景前面板の下端のうち前記第１の舞台部に接する部分のみに前記裏表紙に固定される固定部；及び前記固定部の外側に前記裏表紙に固定されない非固定部を含み、前記固定部と非固定部と連結部には、ポップアップ絵本が折られた場合表表紙と裏表紙とが離間することを防止するために、前記裏表紙から上方へ舞台側付着面上に所定長さで形成された切断線；及び前記非固定部の後方へ前記裏表紙付着面上に所定幅で形成された切欠部が形成される。
【００１９】
本発明の他の特徴に従った遊戯用ポップアップ絵本は、前記第１の舞台部の舞台側面板の後方端は、前記第１の舞台部の下面の後方端より後方へ突出形成され、前記第１の舞台部の下面と前記背景前面板との間に所定間隔が形成される。
【００２０】
本発明の他の特徴に従った遊戯用ポップアップ絵本は、前記天井面の下面には、前記固定背景板に付着された交換背景板を前記固定背景板へ加圧支持する弾性の支持部が設置される。
【００２１】
本発明の他の特徴に従った遊戯用ポップアップ絵本は、前記天井面の上側に位置する前記表表紙の高さは、前記表表紙と前記背景前面板とを連結する方向における前記天井面の長さより１〜２cm長く形成される。
【発明の効果】
【００２２】
本発明に従った遊戯用ポップアップ絵本は、ポップアップ絵本が開けられた場合、突出する第１の舞台部を固定する固定手段を有することで立体舞台が確実に固定され、また、固定背景板に付着される複数の交換背景板を支持部で加圧支持しながら一枚ずつ交換することで、第１の舞台部、第２の舞台部及び裏表紙の上面に人形などを配置して様々な立体感のある遊戯を可能とする。
【００２３】
また、本発明に従った遊戯用ポップアップ絵本は、背景前面板の下部に固定される第２の舞台部に固定部と非固定部とを分離形成し、固定部と非固定部との連結部に切断線と切欠部を形成することで、ポップアップ絵本が折られた場合ポップアップ絵本の厚さを最小化する。
【００２４】
また、本発明に従った遊戯用ポップアップ絵本は、ポップアップ絵本内に三次元の舞台とその固定手段とが共に設置されるので、平面状のポップアップ絵本に別途の三次元の舞台を組み立てて固定した従来のポップアップ絵本に比べ、保管が容易になる。
【００２５】
更に、本発明に従った遊戯用ポップアップ絵本は、保護面を天井面より長く形成することで、使用者が折られたポップアップ絵本の保護面を取って開ける場合、ポップアップ絵本の内容物の破損が防止される。
【図面の簡単な説明】
【００２６】
【図１】図１は、従来のポップアップ絵本が開けられた状態を示す斜視図である。
【図２】図２は、本発明に従った遊戯用ポップアップ絵本が直立され、固定された状態を示す斜視図である。
【図３】図３は、図２の切断線Ａ−Ａ`における断面図である。
【図４】図４は、本発明に従った遊戯用ポップアップ絵本の第１の舞台部を示す部分展開図である。
【図５】図５は、本発明に従った遊戯用ポップアップ絵本の第１の舞台部を示す部分展開図である。
【図６】図６は、本発明に従った遊戯用ポップアップ絵本の第２の舞台部を示す部分展開図である。
【図７】図７は、本発明に従った遊戯用ポップアップ絵本の支持部を示す平面図である。
【図８】図８は、本発明に従った遊戯用ポップアップ絵本が折られた状態を示す側面図である。
【図９】図９は、本発明に従った遊戯用ポップアップ絵本が直立された状態を示す斜視図である。
【図１０】図１０は、本発明に従った遊戯用ポップアップ絵本の舞台側面板が直立され、固定された状態を示す斜視図である。
【発明を実施するための形態】
【００２７】
以下、添付された図を参照しながら、本発明の望ましい実施形態の構造及び作用について説明する。
【００２８】
図２は、本発明に従った遊戯用ポップアップ絵本が直立され、固定された状態を示す斜視図であり、図３は、図２の切断線Ａ−Ａ`における断面図である。
【００２９】
本発明に従ったポップアップ絵本は、旋回部１０５を中心に開閉される表表紙１００と裏表紙２００とが直立に開けられた場合、裏表紙２００から第１の舞台部３００及び第２の舞台部１５０が上方へ突出し、表表紙１００から背景前面板１４０が前方へ突出して立体的形状を形成する。
【００３０】
第１の舞台部３００は、上面を形成する第１の舞台板３１０、第１の舞台板３１０の前方部を支持する舞台前面板３３０、及び第１の舞台板３１０の両側を支持固定する舞台側面板３２０を含む。
【００３１】
ポップアップ絵本が開けられた場合、舞台前面板３３０と舞台側面板３２０とが第１の舞台板３１０より上方へ高く突出して第１の舞台板３１０の上端を沿って垣が形成される。また、舞台側面板３２０の突出部は、後述するように取っ手として利用され、かつ、絵などが配置される空間を拡張する。
【００３２】
第２の舞台部１５０は、直立する背景前面板１４０を介して第１の舞台部３００の後方に設置され、第２の舞台部１５０の後方部が表表紙１００に連結される。
【００３３】
第２の舞台部１５０は、上面の第２の舞台板１５１、前面の舞台側付着面１５６、後面の表表紙付着面１５２、及び下面の裏表紙付着面１５４を含む。
【００３４】
背景前面板１４０の下部は、舞台側付着面１５６に接触固定され、背景前面板１４０の上端は、表表紙１００の上部に形成された保護面１１０の下端に連結された天井面１２０の一端に連結される。一方、第２の舞台板１５１は、ポップアップ絵本の開閉にかかわらず、第１の舞台板３１０と同一高さで水平に維持するよう形成される。
【００３５】
図４及び５は、本発明に従った遊戯用ポップアップ絵本の第１の舞台部を示す部分展開図である。図４は前方から見た第１の舞台部を示しており、図５は後方から見た第１の舞台部を示す。
【００３６】
以下、図２乃至５を参照しながら、第１の舞台部３００について説明する。
【００３７】
本発明に従った遊戯用ポップアップ絵本は、ポップアップ絵本が直立され、開けられた場合、第１の舞台部３００を確実に固定する固定手段を含むことを特徴とする。
【００３８】
固定手段は、上端が第１の舞台部３００の前端に連結され、第１の舞台板３１０を支持する舞台前面板３３０、第１の舞台部３００の両側に設置され、裏表紙２００に下端が固定され旋回される舞台側面板３２０、及び一端が舞台側面板３２０の上部内側面に連結され、上面が第１の舞台板３１０の下面に接触固定され、他端が延長して第１の舞台部下面３５５に固定される舞台支持部３５０を含む。
【００３９】
舞台支持部３５０の上面に磁石３５２を設置し、かつ、第１の舞台板３１０の下面に鉄板３１２を付着することで、舞台側面板３２０が直立されて舞台支持部３５０が第１の舞台板３１０の下部空間に配置された場合、磁石３５２と鉄板３１２とが接触固定され、第１の舞台部３００を確実に固定することが望ましい。
【００４０】
また、第１の舞台板３１０の下面に鉄板３１２を付着することで、第１の舞台板３１０をより堅固な形状に維持することができる。
【００４１】
ポップアップ絵本が開けられた場合、舞台側面板３２０は、裏表紙２００の上面に斜めに配置されており（図９参照）、使用者が舞台側面板３２０の外側端を取って旋回させ、第１の舞台板３１０を固定させる。
【００４２】
一方、使用者が舞台側面板３２０の外側端を取って旋回させることを容易にするために、舞台支持部３５０の下側に弾性部３３５を設置する。弾性部３３５は、ポップアップ絵本が開けられる過程で、舞台支持部３５０を裏表紙２００から上方へ所定間隔離間させる。
【００４３】
弾性部３３５は、一端が、舞台前面板３３０の下部内側面に裏表紙２００から上方へ所定間隔離間された位置に固定され、他端が、舞台支持部３５０の内部で自由端として形成される。表表紙１００が開けられている過程で、弾性部３３５の自由端が舞台支持部３５０を裏表紙２００から上方へ所定間隔離間させる。
【００４４】
図６は、本発明に従った遊戯用ポップアップ絵本の第２の舞台部を示す部分展開図である。
【００４５】
本発明は、ポップアップ絵本を形成する紙同士の妨害を防止して耐久性を向上させ、ポップアップ絵本が折られたときの体積を最小化する構成を有する。
【００４６】
このため、ポップアップ絵本が直立され、開けられた場合、裏表紙２００に固定される固定部１５９は、背景前面板１４０の下端のうち第１の舞台板３１０に接する部分のみに形成され、裏表紙２００に固定されない非固定部１６０は、背景前面板１４０の下端のうち第１の舞台板３１０に接しない部分、つまり、固定部１５９の両外側に形成される。
【００４７】
また、固定部１５９と非固定部１６０との連結部には、ポップアップ絵本が折られた場合、表表紙１００と裏表紙２００とが離間することを防止するために、裏表紙２００から上方へ舞台側付着面１５６に所定長さで形成された切断線１５８、及び非固定部１６０の後方へ裏表紙付着面１５４に所定幅で形成された切欠部１５７が形成される。
【００４８】
切断線１５８及び切欠部１５７は、ポップアップ絵本を繰り返し開閉すると発生する非固定部１６０の破損を防止する。
【００４９】
切断線１５８を形成することで、非固定部１６０は、ポップアップ絵本が開けられる場合、図４に示された舞台支持部３５０の凸部３５１に接触されることなく、接触による妨害が防止され、ポップアップ絵本が容易に開けられる。
【００５０】
また、ポップアップ絵本が折られた場合、表表紙１００と裏表紙２００とが離間することを防止するために、第１の舞台部３００と背景前面板１４０とを連結する舞台間付着面３１１を短く形成することで、ポップアップ絵本が折られたときの厚さを最小化する。また、第１の舞台部の下面３５５の後方側端３５５aより舞台側面板３２０の後方側端３２０aを後方へ突出形成することで、第１の舞台部の下面３５５と背景前面板１４０との間に所定間隔が形成される（図４、５及び９を参照)。
【００５１】
図７は、本発明に従った遊戯用ポップアップ絵本の支持部を示す平面図である。
【００５２】
図３及び７を参照すれば、ポップアップ絵本が開けられた場合、固定背景板１３０に複数の交換背景板１３２を固定させる支持部１２５が天井面１２０の下面に付着される。
【００５３】
支持部１２５は、天井面１２０の下面に付着される板状の付着面１２６、及び下端１２８aが付着面１２６に連結され、付着面１２６に形成された切断線１２７に沿って切断され旋回する弾性の旋回片１２８を含む。
【００５４】
ポップアップ絵本が折られた場合、旋回片１２８の先端１２８ｂと固定背景板１３０とは離間されるが、ポップアップ絵本が開けられた場合、天井面１２０と固定背景板１３０とがなす角度が水平（０°）から垂直（９０°）へ変わり、旋回片１２８は、固定背景板１３０によって加圧され、曲げられる。
【００５５】
しかしながら、このように旋回片１２８が加圧され、曲げられても、旋回片１２８の弾性により旋回片１２８の下端１２８aが折られないので、ポップアップ絵本を繰り返し開閉しても旋回片１２８が破損されず、続いて使用することができる。
【００５６】
使用者は、支持部１２５と固定背景板１３０との間に複数の交換背景板１３２を固定しておき、交換背景板１３２を一枚ずつ交換することで、例えば、口演童話をするとき舞台背景を変えることができる。
【００５７】
図８は、本発明に従った遊戯用ポップアップ絵本が折られた状態を示す側面図であり、図９は、本発明に従った遊戯用ポップアップ絵本が直立された状態を示す斜視図であり、図１０は、本発明に従った遊戯用ポップアップ絵本の舞台側面板が直立され、固定された状態を示す斜視図である。
【００５８】
図８に示されたように、保護面１１０を天井面１２０より１〜２cmほど長く形成することで、使用者が保護面１１０の端部を取ってポップアップ絵本を開けることができ、天井面１２０が保護面１１０と共に持ち上げられることがない。それで、ポップアップ絵本の内容物の破損が防止される。
【００５９】
また、ポップアップ絵本が折られた場合、使用者が、表表紙１００の保護面１１０を用意に取るために、裏表紙２００を表表紙１００より長く形成することが望ましい。
【００６０】
図９に示されたように、表表紙１００と裏表紙２００とが直立され、開けられた場合、第１の舞台板３１０と第２の舞台板１５１とは、裏表紙２００から上方へ突出し、背景前面板１４０は、表表紙１００の前方へ突出して、立体的な舞台が形成される。
【００６１】
この時、図９に示されたように舞台支持部３５０が下側にある弾性部３３５によって上方へ支持されており、使用者が舞台側面板３２０の外側端を取って上方へ旋回させることで、図１０に示されたようにポップアップ絵本を直立固定することができる。
【００６２】
第１の舞台部３００が第２の舞台部１５０に連結されており、表表紙１００と裏表紙２００とが相互連結されているので、舞台側面板３２０を上方へ旋回させて第１の舞台部３００を固定することで、表表紙１００と裏表紙２００とを固定することができる。よって、舞台遊戯用の堅固な空間を形成することができる。
【００６３】
ポップアップ絵本が開けられた状態を固定し、第１の舞台板３１０又は第２の舞台板１５１の上面に様々な人物や品物の模型３７０を置いて立体的な舞台遊戯ができる。
【００６４】
ポップアップ絵本の突出する立体的な舞台の表面全体又は一部を積層塗装することで、耐磨耗性及び耐久性を向上させ、キャラクターなどの模型３７０を置きながら長い間遊んでもポップアップ絵本の破損が防止される。
【００６５】
一方、背景前面板１４０には開口部１４５が形成され、ポップアップ絵本が完全に折られた場合、突出している第１の舞台部３００が開口部１４５に挿入される。よって、ポップアップ絵本が折られたときの厚さを最小化し、ポップアップ絵本を複数枚で形成しても、ポップアップ絵本の厚さを最小化することができる。
【００６６】
本発明に従った遊戯用ポップアップ絵本を利用すれば、子供の空間知覚力及び審美力の向上など、教育的效果が得られる。さらに、様々なステッカー、小さい人形又は動物の模型、フィギュアなどを利用することで、活気のある遊戯が可能となり、舞台背景を交換することで、口演童話や演劇遊戯などを多様化することができる。
【産業上の利用可能性】
【００６７】
上述したように、本発明に従った遊戯用ポップアップ絵本は、ポップアップ絵本が直立され、開けられた状態を固定して、三次元の舞台を提供し、舞台背景を交換しながら口演童話や演劇など様々な遊戯を可能とする。
【図１】
2011509793.tif 000003
【図２】
2011509793.tif 000004
【図３】
2011509793.tif 000005
【図４】
2011509793.tif 000006
【図５】
2011509793.tif 000007
【図６】
2011509793.tif 000008
【図７】
2011509793.tif 000009
【図８】
2011509793.tif 000010
【図９】
2011509793.tif 000011
【図１０】
2011509793.tif 000012
【国際調査報告】
2011509793.tif 000013
2011509793.tif 000014